(57)【要約】【課題】浄化槽から排出される排水の処理に際し、ポンプ装置に稼働時間を減じてランニングコストを抑えることができる浄化槽排水処理システムを提供する。【解決手段】ポンプ槽２０には、ポンプ装置２５と、互いに高さを異ならせて配置された液面検知部２７Ａ，２７Ｂを有する水位検知装置２７とが設けられており、ポンプ槽２０内の水位が上昇して高レベル側の液面検知部２７Ａに達した場合、前記ポンプ装置が非駆動状態から駆動状態となり、一方、低レベル側の液面検知部２７Ｂに水位が達したことを検知すると、ポンプ装置２５が駆動状態から非駆動状態となる。【選択図】図１
2014025235.tif 000002
【特許請求の範囲】
【請求項１】
浄化槽から排出された排水を放流先に放流するための浄化槽排水処理システムであって、
浄化槽から排出された排水が流入するポンプ槽を備え、
さらに該ポンプ槽内に流入した排水を前記放流先に放流するための、該ポンプ槽と該放流先とを繋ぐ排水経路に、該排水経路の下流側から該ポンプ槽内に排水が逆流することを防止する逆流防止手段が設けられており、
前記ポンプ槽には、
該ポンプ槽内に流入した排水を前記放流先に吐出する駆動状態と、吐出しない非駆動状態とに選択的に状態変換自在なポンプ装置と、
該ポンプ槽内に互いに高さを異ならせて配置された一対の液面検知部を有する水位検知手段と、
が設けられており、
該水位検知手段は、
該ポンプ槽内の水位が上昇して該水位が高レベル側の液面検知部に達したこと、及び、該ポンプ槽内の水位が下降して該水位が低レベル側の液面検知部に達したことを検知し、
前記ポンプ装置が非駆動状態のときに前記水位検知手段が高レベル側の液面検知部に水位が達したことを検知すると、該ポンプ装置が駆動状態となり、一方、該ポンプ装置が駆動状態のときに前記水位検知手段が低レベル側の液面検知部に水位が達したことを検知すると、該ポンプ装置が非駆動状態となることを特徴とする浄化槽排水処理システム。
【請求項２】
前記ポンプ槽に接続された流入管を介して、前記浄化槽からの排水が該ポンプ槽に流入する構成にあって、
前記水位検知手段における高レベル側の液面検知部は、該ポンプ槽内の周壁に配された該流入管の管頂の高さに配置されている請求項１に記載の浄化槽排水処理システム。
【請求項３】
前記ポンプ槽に接続された流入管を介して、前記浄化槽からの排水が該ポンプ槽に流入する構成にあって、
前記水位検知手段における低レベル側の液面検知部は、該ポンプ槽内の周壁に配された該流入管の管底の高さに配置されている請求項１又は請求項２に記載の浄化槽排水処理システム。
【発明の詳細な説明】
【技術分野】
【０００１】
本発明は、浄化槽から排出された排水を放流先に放流するための浄化槽排水処理システムに関するものである。
【背景技術】
【０００２】
従来、公共下水道設備が整っていない地域において、一般家庭等からの排水を浄化槽を用いて浄化処理し、側溝等の排水設備や河川に放流することが行われている。ここで、浄化槽の排水管の管底高さが、放流先の水位より十分高い場合には、該浄化槽の排水は放流先に向けて自然流下させることができるが、土地の勾配や、浄化槽と放流先との距離が長いなどの条件により、浄化槽の排水を放流先に自然流下させることができない場合がある。そこで、浄化槽の排水を放流先に自然流下させることができない場合があるところでは、ポンプを使って強制的に浄化槽の排水を放流先へ圧送するようにした構成が提案されている（例えば、特許文献１，２参照。）。
【０００３】
特許文献１に開示された構成は、浄化槽本体の外側で、浄化槽本体が設置される床盤上面より離間して、ポンプ槽を着脱可能に支持させている。
【０００４】
特許文献２に開示された構成は、ポンプ槽外槽内の上部を通る送液管の槽内液に浸らない高さに、水中ポンプ稼働中と停止中とで開閉が切り替わる通気弁が配置されている。
【先行技術文献】
【特許文献】
【０００５】
【特許文献１】特開２００２−２４８４８４号公報
【特許文献２】特開２００３−６５２７９号公報
【発明の概要】
【発明が解決しようとする課題】
【０００６】
しかしながら、これまでの従来構成には、以下の問題がある。すなわち、浄化槽と放流先とが同じくらいの高さで施工されている場合は、放流先に自然流下させることができない場合があるため常時ポンプを駆動させなければならない。しかし、放流先の水位は変化するため、浄化槽の排水管の管底に対して放流先の水位が高くなったり低くなったりする場合があるところ、該管底に対して放流先の水位が低くなった場合は、自然流下が可能であり、実際にはポンプの駆動は不要となる。このため、従来構成は無駄にポンプの稼働時間が長くなってしまい、ランニングコストが高騰するという問題がある。一方、放流先の水位を常時監視してポンプのＯＮ・ＯＦＦを制御する構成は、構成が複雑となり、監視負担が大きすぎる。
【０００７】
そこで本発明は、ポンプ装置を備えた浄化槽排水処理システムであって、簡単な構成で、該ポンプ装置のランニングコストを抑えることができる構成を提供することを目的とする。
【課題を解決するための手段】
【０００８】
本発明は、浄化槽から排出された排水を放流先に放流するための浄化槽排水処理システムであって、浄化槽から排出された排水が流入するポンプ槽を備え、さらに該ポンプ槽内に流入した排水を前記放流先に放流するための、該ポンプ槽と該放流先とを繋ぐ排水経路に、該排水経路の下流側から該ポンプ槽内に排水が逆流することを防止する逆流防止手段が設けられており、前記ポンプ槽には、該ポンプ槽内に流入した排水を前記放流先に吐出する駆動状態と、吐出しない非駆動状態とに選択的に状態変換自在なポンプ装置と、該ポンプ槽内に互いに高さを異ならせて配置された一対の液面検知部を有する水位検知手段と、が設けられており、該水位検知手段は、該ポンプ槽内の水位が上昇して該水位が高レベル側の液面検知部に達したこと、及び、該ポンプ槽内の水位が下降して該水位が低レベル側の液面検知部に達したことを検知し、前記ポンプ装置が非駆動状態のときに前記水位検知手段が高レベル側の液面検知部に水位が達したことを検知すると、該ポンプ装置が駆動状態となり、一方、該ポンプ装置が駆動状態のときに前記水位検知手段が低レベル側の液面検知部に水位が達したことを検知すると、該ポンプ装置が非駆動状態となることを特徴とする浄化槽排水処理システムである。
【０００９】
かかる構成にあって、雨量等が増して放流先の水位が上昇し、浄化槽あるいはポンプ槽に比べて放流先の水位が高くなると、前記排水経路を介して放流先の水が浄化槽に向けて逆流しようとするが、該排水経路に設けられた逆流防止手段により、これを適切に阻止することができる。ここで、該逆流防止手段が逆流を防止している状態では、該排水経路を介して排水を放流先に向けて自然流下させることができなくなるが、浄化槽から継続して排水が排出される場合は、前記ポンプ槽のポンプ装置により、適切に排水処理することができる。しかも、本発明においては、互いに設定高さ位置を異ならせた液面検知部を備える水位検知手段がポンプ槽に設けられているため、ポンプ槽内の水位が例えば高レベル側に設定された警告水位になると該ポンプ装置を駆動させ、一方、低レベル側に設定された安全水位になると該ポンプ装置を停止させることが可能となる。そして、該ポンプ装置が停止した非駆動状態である場合には、放流先の水位に応じて前記排水経路を介して排水を自然流下させることが可能となる。このように本発明は、放流先の水位が低い場合にはポンプ装置を停止して放流先へ自然流下させることができる構成であるため、該ポンプ装置が無駄に長時間稼働することを抑制でき、該ポンプ装置のランニングコストを適切に抑えることが可能となる。
【００１０】
また、前記ポンプ槽に接続された流入管を介して、前記浄化槽からの排水が該ポンプ槽に流入する構成にあって、前記水位検知手段における高レベル側の液面検知部は、該ポンプ槽内の周壁に配された該流入管の管頂の高さに配置されていることが好ましい。
【００１１】
かかる構成とすることにより、該流入管の管頂より水位が高くなる状況をできる限り避けることができるため、浄化槽の処理水を滞留させることがない。
【００１２】
また、前記ポンプ槽に接続された流入管を介して、前記浄化槽からの排水が該ポンプ槽に流入する構成にあって、前記水位検知手段における低レベル側の液面検知部は、該ポンプ槽内の周壁に配された該流入管の管底の高さに配置されていることが好ましい。
【００１３】
このように、低レベル側の液面検知部の高さを前記流入管の管底の高さに設定することにより、前記ポンプ槽内の水位が該流入管の管底まで下降して、浄化槽への逆流が懸念されない状況になったところで、前記ポンプ装置を停止させることができる。このため、放流先の水位が低い場合に該ポンプ装置を無駄に稼働する必要がなくなり、該ポンプ装置の稼働時間を大幅に短縮することができる。
【発明の効果】
【００１４】
本発明の浄化槽排水処理システムは、ポンプ装置の稼働時間を短縮することができるため、適切に浄化槽の排水を処理可能としつつポンプ装置のランニングコストを大幅に抑えることができる効果がある。
【図面の簡単な説明】
【００１５】
【図１】浄化槽排水処理システムの概要を示す説明図。
【図２】通常時の浄化槽排水処理システムにおける放流の流れを示す説明図。
【図３】逆流防止時の浄化槽排水処理システムの概要を示す説明図。
【図４】ポンプ槽内の水位状態を示す説明図。
【図５】浄化槽排水処理システムにおけるタイムチャート図。
【図６】逆流防止手段の変形例を示す説明図。
【発明を実施するための形態】
【００１６】
以下、本発明の浄化槽排水処理システム１を具体化した実施例を詳細に説明する。
【００１７】
図１に示すように、浄化槽排水処理システム１は、浄化槽１０から排出された排水が流入するポンプ槽２０を備えている。具体的には、一端が浄化槽１０に接続され、他端がポンプ槽２０に接続された流入管１１を介して、該ポンプ槽２０に排水が流入する。
【００１８】
また、前記ポンプ槽２０の下流側には、該ポンプ槽２０と放流先である側溝３０とを繋ぐ排水経路２２が形成されている。すなわち、該ポンプ槽２０内に流入した排水は、該排水経路２２を介して側溝３０へ自然流下可能となっている。
【００１９】
さらに、前記排水経路２２は、流出管２１によって構成されており、該流出管２１の中間部には、逆流防止手段としての逆流防止ます４０が設けられている。該逆流防止ます４０は、ポンプ槽２０から自然流下した排水が流入するます本体部４１を備え、該ます本体部４１内に、下流側からの逆流を阻止する逆流防止装置４２が配設されている。具体的には、該逆流防止装置４２は、その内部に弁体としての開閉蓋４３が上下方向に回動自在に配設されている。そして、該開閉蓋４３が水流の方向に応じて開閉することにより、ます本体部４１内と、これより下流側の側溝３０とを開通させる開通状態、又は、該ます本体部４１内と側溝３０とを遮断して前記ポンプ槽２０内に排水が逆流することを防止する閉塞状態に状態変換される。
【００２０】
図２に示すように、側溝３０の水位が低い通常時においては、浄化槽１０から排出された排水は、流入管１１を介してポンプ槽２０内に流入し、さらに、該ポンプ槽２０内にある排水が流出管２１を介して逆流防止ます４０に流入する。そして、該逆流防止ます４０内の排水が前記開閉蓋４３を持ち上げてさらに下流へ流出し、側溝３０へと放流される。なお、図２において、浄化槽排水処理システム１における排水は適宜図示省略した。
【００２１】
一方、図３に示すように、増水時において側溝３０内の水位が上昇した場合は、流出管２１を介して、側溝３０内の水が排水経路２２の上流側に向けて逆流するが、前記逆流防止ます４０の開閉蓋４３が閉塞状態となり、上流側への逆流が防止される。なお、図３において、ポンプ槽２０等の排水は適宜図示省略した。
【００２２】
ところで、図３に示すように、逆流防止装置４２が逆流防止状態であるときは、開閉蓋４３が閉塞状態となるため、ポンプ槽２０から下流側へ排水を自然流下させることが不可能となる。そこで、上記浄化槽排水処理システム１には、逆流防止装置４２が逆流防止状態であるときでもポンプ槽２０から下流側へ排水を排出することができる機構が設けられている。
【００２３】
図１等に示すように、前記ポンプ槽２０には、ポンプ装置２５が設けられている。該ポンプ装置２５は、該ポンプ槽２０内の底部近傍に配置された吸引口（図示省略）と、吸引口から吸引した排水を側溝３０へ直接圧送する圧送管２６を有している。そして、該ポンプ装置２５は、電源のＯＮ・ＯＦＦ制御がなされることにより、該ポンプ槽２０内に流入した排水を前記圧送管２６を介して前記側溝３０に吐出する駆動状態と、吐出しない非駆動状態とに選択的に状態変換する。なお、前記ポンプ装置２５が非駆動状態のときは、駆動状態のときに比べて該ポンプ装置２５の消費電力が低減される。
【００２４】
さらに、前記ポンプ槽２０内の周壁には、互いに高さを異ならせて配置された一対の液面検知部２７Ａ，２７Ｂを備える水位検知装置２７が設けられている。具体的には、該水位検知装置２７の高レベル側の液面検知部２７Ａが、該ポンプ槽２０内における前記流入管１１の管頂と同じ高さとなるように、該ポンプ槽２０の周壁に配設され、低レベル側の液面検知部２７Ｂが、該流入管１１の管底と同じ高さとなるように、該ポンプ槽２０の周壁に配設されている。なお、該水位検知装置２７により、本発明に係る水位検知手段が構成される。
【００２５】
そして、前記ポンプ装置２５と前記水位検知装置２７とが電気信号を送受信可能に接続されており、該水位検知装置２７が、該ポンプ槽２０内の水位が上昇して高レベル側の液面検知部２７Ａに達したことを検知した場合、これを報知する検知信号をポンプ装置２５に送信する。また、これに対して該ポンプ槽２０内の水位が下降して低レベル側の液面検知部２７Ｂに達したことを水位検知装置２７が検知した場合、その検知信号をポンプ装置２５に送信する。
【００２６】
前記ポンプ装置２５は、非駆動状態のときに高レベル側の液面検知部２７Ａに水位が達したことを報知する検知信号を受信すると、駆動状態に切り替わり、一方、駆動状態のときに低レベル側の液面検知部２７Ｂに水位が達したことを報知する検知信号を受信すると、非駆動状態に切り替わる制御内容を具備している。
【００２７】
なお、前記液面検知部２７Ａ，２７Ｂとしては、公知の液面センサーが好適に採用可能である。また、前記の制御内容を具備するポンプ装置２５は、例えば中央処理装置（ＣＰＵ）を使用した制御回路により好適に構成することができる。ただし、液面検知部２７Ａ，２７Ｂ及びポンプ装置２５の構成は、これらに限定されるものではない。
【００２８】
上記した浄化槽排水処理システム１にあって、逆流防止装置４２が逆流防止状態である場合には（図３参照）、開閉蓋４３が閉塞状態であるため、この状態で継続的に浄化槽１０から排水が排出されると、これに伴い該ポンプ槽２０内の水位が徐々に上昇する。そして、図４ａに示されるように、上昇した水位が前記高レベル側の液面検知部２７Ａに到達すると、該液面検知部２７Ａがこれを検知し、図５に示すようにポンプ装置２５が非駆動状態（ＯＦＦ状態）から駆動状態（ＯＮ状態）となる。そして、圧送管２６を介して該ポンプ槽２０内の排水が側溝３０へ強制的に吐出され始め、該ポンプ槽２０内の排水が適切に処理開始される。
【００２９】
前記ポンプ装置２５が駆動したことによりポンプ槽２０内の水位が下降し、図４ｂに示すように下降した水位が前記低レベル側の液面検知部２７Ｂに到達すると、該液面検知部２７Ｂがこれを検知し、図５に示すようにポンプ装置２５が駆動状態（ＯＮ状態）から非駆動状態（ＯＦＦ状態）となる。これにより、圧送管２６を介した側溝３０への強制的な吐出が停止することになる。
【００３０】
また、再びポンプ槽２０内の水位が上昇し、水位が高レベル側の液面検知部２７Ａに到達すると、ポンプ装置２５が再び非駆動状態から駆動状態となる。このように、ポンプ槽２０内の水位変動に応じて、ポンプ装置２５が駆動状態又は非駆動状態に状態変換する。
【００３１】
一方、側溝３０内の水位が低く、逆流防止装置４２の開閉蓋４３が開通状態である場合は、ポンプ槽２０内の水が側溝３０に向けて自然流下する。なお、前記流出管２１の管径は、浄化槽１０から排出される単位時間当たりの通常の排水量に基づき、排水が十分に自然流下可能な太さに設定されているため、前記のように逆流防止装置４２の開閉蓋４３が開通状態のときは、ポンプ槽２０内の水位が高レベル側の液面検知部２７Ａに到達することはない。
【００３２】
なお、上記浄化槽排水処理システム１は、浄化槽１０の排水制御を、側溝３０の水位を測定することなく、ポンプ槽２０内の水位状況のみに基づいて行うことができるため、システム全体の管理が簡素化される利点がある。
【００３３】
本発明は、上記実施例に限定されず、本発明の主旨を逸脱しない範囲で適宜設計変更可能である。
例えば、逆流防止手段としての前記逆流防止ます４０に代えて、図６に示すように、ポンプ槽２０内における流出管２１の管口に取り付けられる公知の逆流防止弁５０を採用してもよい。かかる構成は、ますを設置できないような狭小地であっても、適切に逆流防止手段を講じることが可能となる。
【００３４】
また、放流先としては、側溝３０に限定されることはなく、水路、又は河川等であってもよい。
【００３５】
また、側溝３０に向けた自然流下が円滑に行われるべく、配管を施工する際には適切に勾配をつけるようにしても勿論よい。
【符号の説明】
【００３６】
１              浄化槽排水処理システム
１０            浄化槽
２０            ポンプ槽
２２            排水経路
２５            ポンプ装置
２７            水位検知装置（水位検知手段）
２７Ａ，２７Ｂ  液面検知部
３０            側溝（放流先）
４０            逆流防止ます（逆流防止手段）
５０            逆流防止弁（逆流防止手段）
【図１】
2014025235.tif 000003
【図２】
2014025235.tif 000004
【図３】
2014025235.tif 000005
【図４】
2014025235.tif 000006
【図５】
2014025235.tif 000007
【図６】
2014025235.tif 000008